(57)【要約】【課題】容器のホールド性を確保しつつ、容器の取り出し性を向上させた容器保持装置を提供する。【解決手段】容器３２の幅寸法に見合った内部空間１２が側壁５ｂにより形成され且つ内部空間１２に容器３２を保持できる有底のホルダー２と、ホルダー２の側壁５ｂに形成した作動孔７より内部空間１２側に出没自在なり且つ常に内部空間１２側に突出して容器３２の側面３２ａを挟持するよう付勢したストッパー１３とよりなり、ストッパー１３は、開口３側及び底４側の二部品よりなり且つホルダー２の側壁５ｂの内部空間１２側と外壁１５側とに進退自在な第１ピン６ｂにより上下回転自在に連結され、ホルダー２の外壁１５に設けた第２ピン６ａに従ってホルダー２の側壁５ｂの内部空間１２側と外壁１５側とに進退自在に制御されてなる。【選択図】図５
2011068173.tif 000002
【特許請求の範囲】
【請求項１】
容器の幅寸法に見合った開口を有する内部空間が側壁により形成され且つ該内部空間に容器を保持可能とした有底のホルダーと、該ホルダーの側壁に形成してなる作動孔より内部空間側に出没自在なるよう配設され且つ常に内部空間側に突出することで容器の側面を挟持するよう付勢されてなるストッパーとより構成されてなり、
前記ストッパーは、前記開口側及び前記底側の二部品よりなり且つホルダーの側壁の内部空間側と外壁側とに進退自在な第１ピンにより上下回転自在に連結されてなると共に、前記ホルダーの外壁に配設された第２ピンに従って前記ホルダーの側壁の内部空間側と外壁側とに進退自在に制御されてなることを特徴とする容器保持装置。
【請求項２】
請求項１記載の容器保持装置であって、
前記ストッパーの前記容器の保持部は、断面形状が９０度若しくはそれ以下に形成されてなることを特徴とする容器保持装置。
【請求項３】
請求項１又は請求項２記載の容器保持装置であって、
前記ストッパーの付勢手段は、前記開口側の第１ストッパーと、前記底側の第２ストッパーとの間に懸架されてなるコイル状スプリングよりなることを特徴とする容器保持装置。
【発明の詳細な説明】
【技術分野】
【０００１】
本発明は、容器保持装置、特に自動車の室内に配される飲料などの容器を確実に保持可能な容器保持装置に関するものである。
【背景技術】
【０００２】
従来の容器保持装置として、例えば、飲料などの容器を確実に保持可能とするべく、容器を内部空間に収容保持するホルダーであって、該ホルダーは、容器に見合った形状よりなると共に、内面に弾性体よりなるストッパーが配設されており、該ストッパーは、該容器が収容保持されていない状態では、その弾性力により、該内部空間の中央に向け最も前進した前進位置を取り、又、最も直径が大きな容器が収容保持された状態では、その弾性力に抗し該容器にて押圧されて、該内部空間の外側に向け最も後退した後退位置を取るようにしてなる（先行技術文献１。）ものが、従来技術として知られている。
【先行技術文献】
【特許文献】
【０００３】
【特許文献１】実開平７−０２６２４５号公報
【発明の概要】
【発明が解決しようとする課題】
【０００４】
しかしながら、かかる従来技術は、上から下までストレートの容器なら問題はないが、容器の中間部がくびれている場合、その中間部をストッパーが保持している状態で、容器を引き抜こうとすると、ストッパーの回転中心部へ力が加わってデッドロックし、該容器がストッパーに引っ掛かってしまうおそれがある。
【０００５】
上記の課題を解決するために、本発明は、容器のホールド性を確保しつつ、容器の中間部がくびれていても、取り出し性を向上させた容器保持装置を提供するものである。
【課題を解決するための手段】
【０００６】
上記の課題を解決するために、本発明の請求項１記載の容器保持装置は、容器の幅寸法に見合った開口を有する内部空間が側壁により形成され且つ該内部空間に容器を保持可能とした有底のホルダーと、該ホルダーの側壁に形成してなる作動孔より内部空間側に出没自在なるよう配設され且つ常に内部空間側に突出することで容器の側面を挟持するよう付勢されてなるストッパーとより構成されてなり、前記ストッパーは、前記開口側及び前記底側の二部品よりなり且つホルダーの側壁の内部空間側と側壁側とに進退自在な第１ピンにより上下回転自在に連結されてなると共に、前記ホルダーの側壁に配設された第２ピンに従って前記ホルダーの側壁の内部空間側と側壁側とに進退自在に制御されてなることを特徴とする。
【０００７】
また、本発明の請求項２記載の容器保持装置が、請求項１記載の前記ストッパーの前記容器の保持部は、断面形状が９０度若しくはそれ以下に形成されてなることを特徴とする。
【０００８】
更に、本発明の請求項３記載の容器保持装置が、請求項１又は請求項２に記載の前記ストッパーの付勢手段は、前記開口側の第１ストッパーと、前記底側の第２ストッパーとの間に懸架されてなるコイル状スプリングよりなることを特徴とする。
【発明の効果】
【０００９】
本発明は、請求項１記載の発明によれば、容器の幅寸法に見合った開口を有する内部空間が側壁により形成され且つ該内部空間に容器を保持可能とした有底のホルダーと、該ホルダーの側壁に形成してなる作動孔より内部空間側に出没自在なるよう配設され且つ常に内部空間側に突出することで容器の側面を挟持するよう付勢されてなるストッパーとより構成されてなり、前記ストッパーは、前記開口側及び前記底側の二部品よりなり且つホルダーの側壁の内壁と外壁とに進退自在な第１ピンにより上下回転自在に連結されてなると共に、前記ホルダーの外壁に配設された第２ピンに従って前記ホルダーの側壁の内部空間側と外壁側とに進退自在に制御されてなることにより、ホルダーの開口は、容器の幅寸法に見合っているので、例え容器が長方形でも倒れることはないし、自動車の走行に伴う振動でもがたつくことが少ない。また、作動孔より出没自在なストッパーにより容器の側面が挟持されてなるので、確実な保持が可能となる。更に、前記ストッパーは、前記開口側及び前記底側の二部品よりなり且つホルダーの側壁の内壁側と外壁側とに進退自在な第１ピンにより上下回転自在に連結されてなると共に、前記ホルダーの外壁に配設された第２ピンに従って前記ホルダーの側壁の内壁側と外壁側とに進退自在に制御されてなるので、容器をホルダーに保持させるときには、前記開口側のストッパーが回転し、前記底側のストッパーが下方向にスライドするので、デッドロックせず、スムーズに挿入できる。また、ホルダーから容器を引き抜くときには、前記底側のストッパーが回転し、前記開口側のストッパーが上方向にスライドするので、デッドロックせず、スムーズに取り出せることになる、という効果を奏する。
【００１０】
また、本発明は、請求項２記載の発明によれば、前記ストッパーの前記容器の保持部は、断面形状が９０度若しくはそれ以下に形成されてなることにより、容器の側面を隙間無く、確実に挟持することが出来る、という効果を奏する。
【００１１】
更に、本発明は、請求項３記載の発明によれば、前記ストッパーの付勢手段は、前記開口側の第１ストッパーと、前記底側の第２ストッパーとの間に懸架されてなるコイル状スプリングよりなることにより、外側からコイル状スプリングの端部を係止すればよいので、作業効率が高まる、という効果を奏する。
【図面の簡単な説明】
【００１２】
【図１】本発明の実施例１に係る容器保持装置を示す斜視図。
【図２】図１の平面図。
【図３】図２の正面図。
【図４】本発明で想定している最も細い容器を保持した場合における図２のＳＡ−ＳＡ線に沿った断面図。
【図５】本発明で想定している最も太い容器を保持した場合における図２のＳＢ−ＳＢ線に沿った断面図。
【図６】図１乃至図５に示す容器保持装置の組み立て前の状態を示す分解斜視図。
【発明を実施するための形態】
【００１３】
以下、本発明の実施の形態について、詳細に説明する。本発明において、容器のホールド性を確保しつつ、容器の中間部がくびれていても、取り出し性を向上させた容器保持装置を提供するという目的を、容器の幅寸法に見合った開口を有する内部空間が側壁により形成され且つ該内部空間に容器を保持可能とした有底のホルダーと、該ホルダーの側壁に形成してなる作動孔より内部空間側に出没自在なるよう配設され且つ常に内部空間側に突出することで容器の側面を挟持するよう付勢されてなるストッパーとより構成されてなり、前記ストッパーは、前記開口側及び前記底側の二部品よりなり且つホルダーの側壁の内壁側と外壁側とに進退自在な第１ピンにより上下回転自在に連結されてなると共に、前記ホルダーの外壁に配設された第２ピンに従って前記ホルダーの側壁の内壁側と外壁側とに進退自在に制御されてなることで、実現した。以下、本発明の実施例を図面に基づいて説明する。
【実施例１】
【００１４】
本発明の実施例１に係る構造を、図１〜図６を用いて説明する。
【００１５】
この実施例１の容器保持装置１は、ホルダー２と、ストッパー１３とより構成されてなる。
【００１６】
前記ホルダー２は、図４に示すように、底４を有し、最も細い筒状の容器３０の側面３０ａ及び途中で細く絞り込んだ容器３１の側面３１ａが同一の幅寸法として、かかる幅寸法に見合った開口３を有する内部空間１２が側壁５ａにより形成され且つ該内部空間１２に容器３０、３１を保持可能とした第１ホルダー２ａと、同じく底４を有し、太い筒状の容器３２の側面３２ａの幅寸法に見合った開口３を有する内部空間１２が側壁５ｂにより形成され且つ該内部空間１２に容器３２を保持可能とした第２ホルダー２ｂとを一体に形成されてなる。前記容器３０について、「最も細い」としているが、本発明では直径５３ミリメートルの円柱状の容器３０を最も細いものとして説明している。
【００１７】
該ホルダー２の第１ホルダー２ａ及び第２ホルダー２ｂの側壁５ａ、５ｂ共に作動孔７が３箇所づつ形成してなり、該作動孔７よりストッパー１３が、図１及び図２に示すように、内部空間１２側に出没自在なるよう配設され且つ常に内部空間１２側に突出することで容器３０、３１，３２の側面３０ａ、３１ａ、３２ａを挟持する。
【００１８】
前記ストッパー１３は、前記開口３側に配される第１ストッパー８と、前記底４側に配される第２ストッパー９との二部品より構成されてなり、前記ホルダー２の側壁５ａ、５ｂの内壁１４側と外壁１５側とに進退自在な第１ピン６ｂにより上下回転自在に連結されてなると共に、前記ホルダー２の側壁５ａ、５ｂの外壁１５に成形されている支持部６に配設された第２ピン６ａに従って前記ホルダー２の側壁５ａ、５ｂの内壁１４側と外壁１５側とに進退自在に制御されてなる。
【００１９】
前記ストッパー１３の前記第１ストッパー８及び前記第２ストッパー９には、前記容器３０，３１，３２の側面部３０ａ，３１ａ，３２ａに圧接する保持部８ａ、９ａは、断面形状が９０度若しくはそれ以下に形成されてなる。
【００２０】
前記ストッパー１３の前記第１ストッパー８及び前記第２ストッパー９間には、「付勢手段」であるコイル状スプリング１０が懸架されてなる。
【００２１】
符号１６は、前記ホルダー２の第１ホルダー２ａ及び第２ホルダー２ｂの側壁５ａ、５ｂを絞り込んだ部位である。
【００２２】
次に、この実施例１の作用を説明する。
【００２３】
容器３０，３１，３２の幅寸法に見合った開口３を有する内部空間１２が側壁５ａ、５ｂにより形成され且つ該内部空間１２に容器３０，３１，３２を保持可能とした底４を有するのホルダー２と、該ホルダー２の側壁５ａ、５ｂに形成してなる作動孔７より内部空間１２側に出没自在なるよう配設され且つ常に内部空間１２側に突出することで容器３０，３１，３２の側面３０ａ，３１ａ，３２ａを挟持するよう付勢されてなるストッパー１３とより構成されてなり、前記ストッパー１３は、前記開口３側及び前記底４側の前記第１ストッパー８及び前記第２ストッパー９の二部品よりなり且つホルダー２の側壁５ａ、５ｂの内壁１４と外壁１５とに進退自在な第１ピン６ｂにより上下回転自在に連結されてなると共に、前記ホルダー２の外壁１５に配設された第２ピン６ａに従って前記ホルダー２の側壁５ａ、５ｂの内部空間１２側と外壁１５側とに進退自在に制御されてなることにより、ホルダー２の開口３は、容器３０，３１，３２の幅寸法に見合っているので、例え容器３０，３１，３２が上下に長方な形でも倒れることはないし、自動車の走行に伴う振動でもがたつくことが少ない。
【００２４】
また、作動孔７より出没自在なストッパー１３により容器３０，３１，３２の側面３０ａ，３１ａ，３２ａが挟持されてなるので、確実な保持が可能となる。
【００２５】
更に、前記ストッパー１３は、前記開口３側及び前記底４側の前記第１ストッパー８及び前記第２ストッパー９の二部品よりなり且つホルダー２の側壁５ａ、５ｂの内壁１４側と外壁１５側とに進退自在な第１ピン６ｂにより上下回転自在に連結されてなると共に、前記ホルダー２の側壁５ａ、５ｂの外壁１５に配設された第２ピン６ａに従って前記ホルダー２の側壁５ａ、５ｂの内壁１４側と外壁１５側とに進退自在に制御されてなるので、容器３０，３１，３２をホルダー２に保持させるときには、前記開口３側の前記第１ストッパー８が回転し、前記底４側の第２ストッパー９が下方向（図４，図５の下側）にスライドするので、デッドロックせず、スムーズに容器３０，３１，３２を挿入できる。また、ホルダー２から容器３０，３１，３２を引き抜くときには、前記底４側の第２ストッパー９が回転し、前記開口３側の第１ストッパー８が上方向にスライドするので、デッドロックせず、スムーズに取り出せることになる、という効果を奏する。
【００２６】
また、前記ストッパー１３の第１ストッパー８及び前記第２ストッパー９の前記容器３０，３１，３２の保持部８ａ、９ａは、断面形状が９０度若しくはそれ以下に形成されてなることにより、容器３０，３１，３２の側面３０ａ，３１ａ，３２ａを隙間無く、確実に挟持することが出来る、という効果を奏する。
【００２７】
更に、前記ストッパー１３の前記開口３側の第１ストッパー８及び前記底４側の前記第２ストッパー９の間には、「付勢手段」であるコイル状スプリング１０が懸架されてなることにより、外側からコイル状スプリング１０の端部を係止すればよいので、作業効率が高まる、という効果を奏する。
【産業上の利用可能性】
【００２８】
前記実施例１で容器保持装置１として、側壁５ａ、５ｂがむき出しのものとして説明しているが、これに限定せず、開口３のみが露出しているコンソールボックス、アームレストなど、自動車の装飾部材によって、側壁５ａ、５ｂが覆われているものも含む。また、「付勢手段」であるコイル状スプリング１０についてのみ説明したが、巻きスプリングでも良く、第１、第２ストッパー８、９に回転した際に復帰する方向に付勢する手段であればよい。
【符号の説明】
【００２９】
１  容器保持装置
２  ホルダー
２ａ  第１ホルダー
２ｂ  第２ホルダー
３  ホルダーの開口
４  ホルダーの底
５ａ，５ｂ  ホルダーの側壁
６  支持部
６ａ  第２ピン
６ｂ  第１ピン
７  作動孔
８  第１ストッパー
８ａ  第１ストッパーの保持部
９  第２ストッパー
９ａ  第２ストッパーの保持部
１０  「付勢手段」であるコイル状スプリング
１２  ホルダーの内部空間
１３  ストッパー
１４  内壁
１５  外壁
３０，３１，３２  容器
３０ａ、３１ａ、３２ａ  容器の側面
【図１】
2011068173.tif 000003
【図２】
2011068173.tif 000004
【図３】
2011068173.tif 000005
【図４】
2011068173.tif 000006
【図５】
2011068173.tif 000007
【図６】
2011068173.tif 000008